(57)【要約】【課題】崖面の保護工事や護岸工事に用いる積みブロックに関し、間知ブロックと同様な工法で、美観に優れた耐久性のある擁壁を容易に構築することができ、施工現場への運搬も容易な積みブロックを提供する。【解決手段】自然石でなる面版と、当該面版の背面に螺着して固定された金属棒材からなる控を備えた積みブロックを提供する。面版として自然石を用いることによって美観と耐久性の向上を図ると共に、コンクリート成形品より強度の高い自然石を用いることによって軽量化を図り、擁壁の施工現場で金属棒材からなる控を面版に固定できるようにした。【選択図】図２
2014034769.tif 000002
【特許請求の範囲】
【請求項１】
面版とその背後に突出する控とを備え、面版の表面が擁壁面を形成するように多数個を積み上げて、それらの控を埋め込むようにそれらの面版の背後に胴込めコンクリートを打設することにより、一体化された擁壁を構築する積みブロックにおいて、
自然石からなる前記面版と、この面版の背面に穿設した丸孔に挿入して径方向に押し広げることによって当該丸孔に固定されたインサートナットと、当該インサートナットに基端を螺着することにより前記面版に固定される金属棒材からなる前記控とを備えた、積みブロック。
【請求項２】
表面を割石面とした前記面版を備えている、請求項１記載の積みブロック。
【請求項３】
複数の前記インサートナットを備え、当該インサートナットに前記控とこれより短い長さの金属棒材からなる補助部材とが螺着されている、請求項１又は２記載の積みブロック。
【請求項４】
正面視が矩形の前記面版を備えた請求項３記載の前記積みブロックにおいて、前記矩形の長辺と平行な対角線が長い菱形の各頂点位置に前記インサートナットを備え、これらのインサートナットに螺着される２本の前記控と２本の前記補助部材とを備えている、積みブロック。
【発明の詳細な説明】
【技術分野】
【０００１】
この発明は、崖面の保護工事や護岸工事に用いる積みブロックに関するもので、従来、間知ブロックと呼ばれているコンクリートブロックと同様な施工により擁壁を構築する積みブロックに関するものである。
【背景技術】
【０００２】
周知のように間知ブロックは、図６に示すように、擁壁面となる面版６１の背後に控６２を一体に突出形成したコンクリートブロックである。間知ブロック６０で構築される擁壁は、面版の表面が擁壁面を形成するように積み上げたブロックの面版背後の空間を埋めるように現場打ちコンクリート（胴込めコンクリート）が打設されて擁壁全体が一体化されており、擁壁の背面と保護する土の崖面ないし斜面との間には、砕石（裏込め砕石）が充填されている。
【０００３】
間知ブロックは、従来、施工技術者（石工）が手積みで積んでいたが、機械化の進展に伴って機械積みされるようになり、更に機械の大型化に伴ってＬ形ブロックなどの大型のブロックが用いられるようになった。そのため、間知ブロックの需要は減少し、それに伴って間知ブロックのメーカーやその施工を行う石工の数も少なくなっている。
【先行技術文献】
【特許文献】
【０００４】
【特許文献１】特開２００１−７３３４３号公報
【発明の概要】
【発明が解決しようとする課題】
【０００５】
しかし、間知ブロックの需要が全く無くなったわけではなはく、比較的小面積の擁壁の施工法として、間知ブロックの手積みによる施工が行われている。ところが、前述した間知ブロックのメーカーの減少と施工技術者の減少により、予定した日時に工事を行うことができないとか、間知ブロックの価格や施工費が増大するという問題が生じている。
【０００６】
また、小規模な擁壁は、公園に設けられる擁壁であったり、住宅建築用の造成地に設けられる擁壁であったりして、優れた美観を備えていることが要望されることが多いが、コンクリート二次製品である従来の間知ブロックは、そのような要求を満たすことが困難で、酸性雨により浸食されやすかったり、期間の経過に伴って変色するなど耐光性にも問題があった。
【０００７】
この発明は、上記のような問題を解決するためになされたもので、間知ブロックと同様な工法で美観に優れた耐久性のある擁壁をより容易に構築することができる積みブロックを得ることを課題としている。すなわち、美観に優れた耐久性のある擁壁を構築することができ、軽量化と施工の容易化を図ることによって技能が十分でない作業者でも施工が可能で、かつ施工現場への運搬も容易な積みブロックを得ることを課題としている。
【課題を解決するための手段】
【０００８】
この発明は、自然石でなる面版１と、当該面版の背面に螺着して固定された金属棒材からなる控２を備えた積みブロック１０を提供することにより、上記課題を解決したものである。
【０００９】
面版とその背面に固定した金属棒材からなる控を備えた積みブロックは、特許文献１にも開示されている。しかし、従来のこの種のブロックは、金属棒材の控が面版の背面にモルタルなどで固着して設けられているために、嵩張って施工現場への運搬が不便であったり、面版に控を取り付ける作業に時間がかかったり、構築された擁壁の美観や耐久性が十分でないなどの問題があった。
【００１０】
この発明では、面版１として自然石を用いることによって美観と耐久性の向上を図ると共に、コンクリート成形品より強度の高い自然石を用いることによって面版１の厚さを薄くして軽量化を図り、更に、擁壁の施工現場で金属棒材からなる控２を面版１に固定できるようにして、上記の課題を解決している。
【００１１】
すなわち、この発明の積みブロックは、面版１とその背後に突出する控２とを備えており、面版１の表面が擁壁面を形成するように多数個を積み上げて、それらの控２を埋め込むようにそれらの面版１の背後に胴込めコンクリート１１を打設することにより、一体化された擁壁を構築する積みブロックであって、面版１は、表面を割石面とした自然石からなり、この面版１は、背面に穿設した丸孔３３に挿入して径方向に押し広げることによって当該丸孔に固定されたインサートナット３を備えている。控２は、ボルトなどの金属棒材からなり、インサートナット３に基端を螺着することにより面版１の背面に固定される。
【００１２】
面版１の背後には、上記構造の控２と共に、胴込めコンクリート１１に埋設されることにより面版１と胴込めコンクリート１１との一体化を強固にする補助部材４を突設して設けるのが好ましい。この補助部材４は、控２より面版背面からの突出長さを短くした金属棒材とし、控の金属棒材２と同様に、面版１の背面に設けたインサートナット３に螺着して面版１に固定する。
【００１３】
擁壁を構築する主要な積みブロックは、正面視が矩形の面版を備えたブロックである。矩形の面版を備えた積みブロックにおいては、その矩形の長辺と平行な対角線が長い菱形の各頂点の位置にインサートナット３を設け、２本の控２と２本の補助部材４とを、それぞれの対が菱形の対角に位置するように設ける。
【００１４】
この発明の積みブロックは、従来の間知ブロックと同様な施工手順で擁壁を構築する。面版１と金属棒材からなる控２は、分離した状態で施工現場へ搬入し、施工現場で面版１の背面のインサートナット３にねじ込んで固定することによって、面版１と控２とを一体化する。従って、運搬に便利であり、現場で面版１と控２を一体化する作業も容易である。
【００１５】
補助部材４を設けたブロックは、控２が従来構造の間知ブロックの控と同様な作用をなし、補助部材４は、面版１の背後に打設された胴込めコンクリート１１内に埋設されて、胴込めコンクリート１１と面版１との一体化を強化する作用をなすものである。補助部材４は、控２より短い長さの金属棒材で形成され、控２と同様に、施工現場で面版１の背面のインサートナット３に螺合して面版１と一体化される。
【発明の効果】
【００１６】
この発明の積みブロック１０は、控２を金属棒材で形成すること及び面版１を自然石で形成することによって、大幅な軽量化を実現することができ、手積みの際の作業負担を大幅に低減することができる。また、軽量化に伴って、ブロックの手積み作業が容易になり、経験の少ない施工技術者でも、正確な形状の擁壁を構築することが容易である。そして、控２を螺着構造で面版１と一体化するようにしたので、現場での面版１と控２の一体化作業が容易で短時間ででき、軽量でかつ控２と面版１とを分離した状態で運搬できることから、施工現場へのブロックの搬入も容易である。
【００１７】
そして、面版１が自然石で形成されていることから、構築した擁壁の美観と耐久性に優れ、面版１の表面を自然のままの、あるいは人造の凹凸面とすることによって、擁壁の美観をより向上させることができる。
【００１８】
控２や補助部材４の金属棒材としてボルトを用いれば、ボルト頭が胴込めコンクリート１１に埋設されるので、ブロックと胴込めコンクリート１１との結合が強固になり、入手や在庫管理も容易であるという利点がある。
【図面の簡単な説明】
【００１９】
【図１】擁壁の主要部を構成するブロックの正面図
【図２】同側面図
【図３】同背面図
【図４】控の固定構造を示す拡大断面側面図
【図５】構築される擁壁の一例を示す側面図
【図６】公知の間知ブロックの一例を示す斜視図
【発明を実施するための形態】
【００２０】
以下、図面を参照してこの発明の実施形態を説明する。図１は、擁壁を構築する際に最も多く使われる矩形面版のブロックの正面図、図２は側面図、図３は背面図である。面版１は表面を割石面とした自然石からなり、長辺４００ｍｍ、短辺２５０ｍｍの矩形で、厚さは５５〜８０ｍｍ程度である。面版１の四辺及び背面は、平坦な加工面となっており、その背面の４箇所にインサートナット３が埋設されている。４個のインサートナット３は、菱形の頂点となる位置に埋設されており、面版１の背後に開けた丸孔３３に打ち込みアンカー３０を固定したものである。
【００２１】
打ち込みアンカー３０は、図４に拡大して示すように、面版１に設けた丸孔３３に挿入した後、雌ねじ３１の奥にある楔片３２を打ち込むことによって奥側周面を押し広げて丸孔３３に固定されるものである。
【００２２】
４個のインサートナット３の内の２個には、長いボルト（控ボルト）２がねじ込んで固定され、他の２個には短いボルト（補助ボルト）４がねじ込んで固定される。図の例では控ボルト２の長さは３５０ｍｍ、補助ボルト４の長さは４０ｍｍである。
【００２３】
控ボルト２は、従来の間知ブロックにおける控２と同様な機能を果たすもので、胴込めコンクリート１１の厚さが控ボルト２の長さによって規定される。従って、控ボルト２の長さを変えることにより、胴込めコンクリート１１の厚さを変えることができる。補助ボルト４は、胴込めコンクリート内に埋設されて、面版１と胴込めコンクリート１１の一体化を強固にしている。
【００２４】
図の面版１の表面は、割石面となっており、楔を差し込んで自然石を割った面をそのまま面版１の表面としている。自然石としては、例えば花崗岩、安山岩、玄武岩、砂岩などを用いることができる。
【００２５】
積みブロックの代表的な積み方として布積みと谷積みとがある。布積みの場合には、構築される擁壁の左右の側辺に図１に示した面版の半分の面積のブロックが必要である。谷積みの場合には、擁壁の上下辺の部分に野球のホームベース形の面版を備えたブロックが必要であり、左右の側辺の部分には三角形の面版のブロックが、また、四隅部には片台形の面版のブロックが必要である。これらのブロックは、例えば面版の半分形状のブロックや片台形のブロックは、背面にそれぞれ１本の控ボルトと補助ボルトを取り付け、ホームベース形や三角形のブロックには、２本の控ボルトと１本の補助ボルトを取り付けるなど、面版大きさに合せて控ボルト２や補助ボルト４の本数や位置を適宜決定する。
【００２６】
この発明の積みブロックは、間知ブロックと同様な方法で擁壁を構築する。構築される擁壁の一例を図５に示す。面版１の表面が擁壁面を形成するようにブロック１０を積み上げ、面版１の背後に控２及び補助部材４の周囲の空間を埋めるように胴込めコンクリートを打設して擁壁全体を一体化する。擁壁の背面と保護する土の崖面ないし斜面との間には、裏込め砕石１２が充填されている。胴込めコンクリートを打設する際には、控２の先端を支持する型枠板を設け、型枠板と崖面との間に砕石１２を充填したあと胴込めコンクリートを打設し、所定期間経過したあとで型枠板を引き抜いて撤去する。
【００２７】
構築された擁壁は、胴込めコンクリート１１に金属棒材からなる控２と補助部材４が埋設されている。面版１の大きさや形状に応じて補助部材４を適宜配置することにより、面版１を薄くしたことによる強度低下が防止され、ブロックと胴込めコンクリートとが強固に一体化された擁壁を構築することができる。
【符号の説明】
【００２８】
１  面版
２  控（控ボルト）
３  インサートナット
４  補助部材（補助ボルト）
１０  積みブロック
１１  胴込めコンクリート
１２  裏込め砕石
【図１】
2014034769.tif 000003
【図２】
2014034769.tif 000004
【図３】
2014034769.tif 000005
【図４】
2014034769.tif 000006
【図５】
2014034769.tif 000007
【図６】
2014034769.tif 000008